(57)【要約】【課題】配布性の高い光ディスクメディアを携帯端末上で再生して表示できる情報再生装置を提供することを目的とする。【解決手段】光ディスクカートリッジ１０４が挿入される挿入口と、挿入口を開閉する昇降部と、昇降部に保持され光ディスクから少なくとも情報を再生する再生部と、再生部から出力された光信号を電気信号に変換して携帯端末へ送る電子基板１０２を有する。再生部は、光ディスクに記録された情報を読み取るための光源及び光学部品からなる光学系と、光ディスクを回転させるためのモータ、光学系を光ディスクの半径方向に移動するための駆動部を有している。【選択図】図３
2006018938.tif 000002
【特許請求の範囲】
【請求項１】
光ディスクが挿入される挿入口と、前記挿入口を開閉する昇降部と、前記昇降部に保持され光ディスクから少なくとも情報を再生する再生部と、前記再生部から出力された光信号を電気信号に変換して携帯端末へ送る電子基板を有することを特徴とする情報再生装置。
【発明の詳細な説明】
【技術分野】
【０００１】
本発明は、携帯情報機器、携帯電話、携帯ゲーム機などに代表される携帯端末機器に内蔵可能であって、少なくとも情報の再生が行える情報再生装置に関するものである。
【背景技術】
【０００２】
デジタル技術の発達に伴い、取り扱うデータが急増している。このため、様々な用途に合わせたデータ記録再生メディアが開発されている。コンピュータなどに使用される記録再生メディアとしては、ハードディスク、光ディスク、半導体メモリなどが挙げられる。
【０００３】
前記の記録再生メディアを使用するパソコンなどの機器を、室内だけではなく、屋外に持ち出して使用したいという要求がある。例えば、ラップトップコンピュータなどの携帯型パソコン、ＰＤＡに代表される携帯機器、携帯電話、携帯ゲーム機器、デジタルカメラなどを挙げることができる。
【０００４】
このとき、データ記録メディアに装備されたデータ記録装置の記録容量が少ない場合、一般に半導体メモリが使用される。半導体メモリは消費電力が少なく、機構部がないために故障に強く、データ転送速度は非常に高速であるというメリットがある。しかし、記憶容量当たりのコストが高いために、大容量の記録メディアには不向きである。
【０００５】
データ記録装置として、一般に使用頻度の高いＨＤＤ装置は半導体メモリほどではないが転送速度も高く、記録容量当たりのコストが安価であるために、大容量記録メディアとして適しているが、これもメディアの配布性はなく映像等データをダウンロードして使うしかない。
【０００６】
前記のメディアの中で、光ディスクを使用した記録再生メディアは光ディスクの交換による容量当たりのコストの優位性、可搬性および再生専用としたときに、ディスク製造の容易性に優れている。
【０００７】
この観点からなされた再生装置に関する技術が、例えば、（特許文献１）に記載されている。
【特許文献１】特開平１０−９７７８１号公報
【発明の開示】
【発明が解決しようとする課題】
【０００８】
上述のように携帯端末のメモリとしては、小型のハードディスクや半導体メモリが存在するが、映像を見る場合パソコンや他の映像プレーヤからデータを転送して携帯端末上の表示部で見るしか手段がない。
【０００９】
本発明は、上記の課題を解決するためになされたもので、配布性の高い光ディスクメディアを携帯端末上で再生して表示できる情報再生装置を提供することを目的とする。
【課題を解決するための手段】
【００１０】
本発明は、上記の課題を解決するためになされたもので、光ディスクが挿入される挿入口と、前記挿入口を開閉する昇降部と、前記昇降部に保持され光ディスクから少なくとも情報を再生する再生部と、前記再生部から出力された光信号を電気信号に変換して携帯端末へ送る電子基板を有することを特徴とする情報再生装置である。
【発明の効果】
【００１１】
本発明によると、携帯端末の表示部で配布コンテンツメディア情報を容易に見ることができるため、パソコンや他の映像プレーヤからデータを転送する必要がなく、小型化が可能で操作が簡便な情報再生装置を実現することができる。また、配布されるメディアを直接再生することができるため、著作権保護に有効である。
【発明を実施するための最良の形態】
【００１２】
本願の第１の発明は、光ディスクが挿入される挿入口と、前記挿入口を開閉する昇降部と、前記昇降部に保持され光ディスクから少なくとも情報を再生する再生部と、前記再生部から出力された光信号を電気信号に変換して携帯端末へ送る電子基板を有することを特徴とする情報再生装置である。
【００１３】
前記再生部は、光ディスクに記録された情報を読み取るための光源及び光学部品からなる光学系と、光ディスクを回転させるためのモータ、前記光学系を光ディスクの半径方向に移動するための駆動部を有している。
【００１４】
本発明の上記の構成により、携帯端末の表示部で配布コンテンツメディア情報を容易に見ることができるため、パソコンや他の映像プレーヤからデータを転送する必要がなく、小型化が可能で操作が簡便な情報再生装置を実現することができる。
【００１５】
以下、本発明の実施の形態について、図を用いて説明する。
【００１６】
図１は、本発明の実施の形態に係る情報再生装置の外観を示し、図２は、この情報再生装置を背面から見た斜視図である。
【００１７】
図１に示すように、本発明の情報再生装置１は、携帯端末装置たとえばＰＤＡや携帯ゲーム機などに内蔵可能である。また、図２に示すように、携帯端末装置１のスライドボタン２をスライドさせることにより、光ディスクカートリッジ挿入口３が現れ、光ディスクカートリッジ４が挿入可能となる。光ディスクカートリッジ４の装着後、上昇したホルダー部を押し込むことにより光ディスクカートリッジ４がチャッキングされてディスク再生状態となる。
【００１８】
図３は、内蔵された情報再生装置のみを取り出した状態の斜視図である。
【００１９】
図３において、１００はカートリッジディスク１０４を挿入可能なホルダー、１０１は光ディスク記録再生装置を搭載した記録再生装置本体、１０２は再生装置本体から出力された信号を処理し携帯端末へ電気信号を送る電子基板である。電子基板１０２を固定している樹脂部が基板支持部材１０３である。
【００２０】
図４は、携帯端末に内蔵される情報再生装置の再生装置本体の状態を下面から見た斜視図である。
【００２１】
図４において、２０は再生機構部のベースとなる記録再生機構本体部、２１は光ディスクの記録再生を行う光ピックアップモジュール、２２は光ディスクを回転させるための動力源となるスピンドルモータ、２３は光ピックアップモジュール２１を光ディスクの内周、外周位置に移動させるためにねじを切られたリードスクリューシャフト、２４はリードスクリューシャフト２３より光ピックアップモジュール２１に動力を伝達させると同時に、光ピックアップモジュール２１に組み込まれたＦＰＣ（Ｆｌｅｘｉｂｌｅ  Ｐｒｉｎｔｅｄ  Ｃｉｒｃｕｉｔ）を保持するラック板バネ、２５はリードスクリューシャフト２１に固定されたリードスクリューシャフト歯車、２６はリードスクリューシャフト２１を任
意の方向に押圧するリードスクリューシャフト押圧ばね、２７は両側に歯車を備え、中心部にスリットを設けた円形状の遮蔽板を持つ中間歯車、２８はリードスクリューシャフト２１を回転させる動力源となるフィードモータ、２９はフィードモータ２８の回転軸に取り付けられたモータ歯車、３０はモータを保持するモータ固定部材、３１はモータの回転数を計測するために、中間歯車の回転数を計測するフォトインターラプター、３２は光ディスクが組み込まれた光ディスクカートリッジを本発明の光ディスクドライブに着脱する際に、再生機構部上下動作を検知する記録再生機構部上下動作感知レバー、３３は光ピックアップモジュール２１の光ディスクの内周、外周位置への動作を規制、誘導するガイドシャフト、３４はガイドシャフト３３を記録再生機構本体部２０に固定するガイドシャフト固定部材である。
【００２２】
図５は、情報再生装置を側面から見た図であり、５１はカートリッジホルダー１０４の上下動を規制する両側に取り付けられた金属製の側面ガイド部材、５２も同じくカートリッジホルダー１０４の上下動を規制する両側に取り付けられた金属製の側面ガイド部材である。両側面ガイド部材５１，５２はそのほぼ中心部で係合し回転可能となっている。
【００２３】
５９は側面ガイド部材５２に固定されたシャフトであり、光ディスク装置本体に形成された溝６２を摺動可能である。６０もシャフト５９同様に側面ガイド部材５１に固定されたシャフトでありホルダー１００の溝６３を摺動可能である。５６は側面ガイド部材５２と記録再生装置本体１０１をつなぐ付勢ばね、５８は矢印方向にスライド可能なスライドスイッチ、５７はスライドスイッチ５８と記録再生装置本体１０１をつなぐ付勢ばねである。５３はホルダー１００の側面に設けられたロック爪シャフト５４を中心に回転可能なロック爪である。また、５５はロック用シャフトである。
【００２４】
図６は光ディスクカートリッジ７１の内部構造を示す図である。７４は光ディスク７０に固定された金属リング、７５はカートリッジシャッター７２を係留するシャッター係留部材である。
【００２５】
次に、本発明の情報再生装置（光ディスクドライブ装置）の操作法、動作について図７、図８に基づいて説明する。
【００２６】
まず、光ディスクを収納する光ディスクカートリッジ１０４を挿入する場合、図７に示すように、スライドスイッチ５８を矢印のＡ方向にスライドさせることにより、スライドスイッチ５８の先端部がトグルバネによりロック用シャフト５５に付勢されたロック爪５３の先端部を押圧し、ロック爪５３はロック用シャフト５５から開放される。このとき付勢バネ５６により、側面ガイド部材５２の先端部シャフト５９が、光ディスク装置本体部の溝６２を摺動しホルダー１００を上方Ｂ方向へ押し上げる。押し上げられた状態が図８であり、携帯端末本体では図２の状態となり、光ディスクカートリッジ４を挿入する開口部である光ディスクカートリッジ挿入口３が見える。この状態において、図１のように光ディスクカートリッジ４を挿入することが可能となる。
【００２７】
次に光ディスクカートリッジ１０４を挿入し再生状態になるまでの動作について説明する。図９に、光ディスクカートリッジ１０４を挿入する際の動作を示す。ホルダー１００が上がった状態の挿入口に光ディスクカートリッジ１０４を挿入する。挿入完了の状態を図１０に示す。この状態から、ホルダー１００を下に押し込んだ状態が図１１である。
【００２８】
光ディスクカートリッジ１０４が挿入されたホルダー１００を下方向へ押し込むと、ロック爪５３は、ロック用シャフト５５を乗り越えてトグルバネによりロック爪５３はロックシャフト５５にロックされ、ホルダー１００は記録再生装置本体１０１に固定され、光ディスクカートリッジ１０４内の光ディスクがスピンドルモータのチャッキング部に装着
され、光ディスク再生状態となる。
【産業上の利用可能性】
【００２９】
本発明は、携帯ゲーム機や多機能の携帯端末に内蔵可能な小型の光ディスクドライブ装置として利用することができ、携帯端末の一部を開口させることにより光ディスクカートリッジを容易に装着することができ、インターネットなどからダウンロードせずに著作権保護が確実なものとしてコンテンツを再生できる情報再生装置である。
【図面の簡単な説明】
【００３０】
【図１】本発明の一実施の形態に係る情報再生装置を内蔵した携帯端末装置を示す斜視図
【図２】本発明の一実施の形態に係る情報再生装置を内蔵した携帯端末装置を示す斜視図
【図３】本発明の一実施の形態における情報再生装置の斜視図
【図４】本発明の一実施の形態における情報再生装置の内部の詳細を示す斜視図
【図５】本発明の一実施の形態におけるホルダー駆動部を示す斜視図
【図６】本発明の一実施の形態における光ディスクカートリッジを示す図
【図７】本発明の一実施の形態におけるホルダー駆動部を示す斜視図
【図８】本発明の一実施の形態における情報再生装置の動作を示す図
【図９】本発明の一実施の形態における情報再生装置の動作を示す図
【図１０】本発明の一実施の形態における情報再生装置の動作を示す図
【図１１】本発明の一実施の形態における情報再生装置の動作を示す図
【符号の説明】
【００３１】
１    情報再生装置
２    スライドボタン
３    光ディスクカートリッジ挿入口
４    光ディスクカートリッジ
２０    記録再生機構本体部
２１    光ピックアップモジュール
２２    スピンドルモータ
２３    リードスクリューシャフト
２４    ラック板バネ
２５    リードスクリューシャフト歯車
２６    リードスクリューシャフト押圧ばね
２７    中間歯車
２８    フィードモータ
２９    モータ歯車
３０    モータ固定部材
３１    フォトインターラプター
３２    記録再生機構部上下動作感知レバー
３３    ガイドシャフト
３４    ガイドシャフト固定部材
５１    側面ガイド部材
５２    側面ガイド部材
５３    ロック爪
５４    ロック爪シャフト
５５    ロック用シャフト
５６    付勢バネ
５７    付勢バネ
５８    スライドスイッチ
５９    シャフト
６０    シャフト
６２    溝
６３    溝
７０    光ディスク
７１    光ディスクカートリッジ
７２    カートリッジシャッター
７４    金属リング
７５    シャッター係留部材
１００    ホルダー
１０１    記録再生装置本体
１０２    電子基板
１０３    基板支持部材
１０４    光ディスクカートリッジ
【図１】
2006018938.tif 000003
【図２】
2006018938.tif 000004
【図３】
2006018938.tif 000005
【図４】
2006018938.tif 000006
【図５】
2006018938.tif 000007
【図６】
2006018938.tif 000008
【図７】
2006018938.tif 000009
【図８】
2006018938.tif 000010
【図９】
2006018938.tif 000011
【図１０】
2006018938.tif 000012
【図１１】
2006018938.tif 000013